(57)【要約】【課題】二種類以上のプラグと嵌合することができるレセプタクルを小型・低背で実現する。【解決手段】レセプタクル１は、第一相手側接触部３１を配置する第一凸部２２及び第二相手側接触部４１ａ、４１ｂを配置する第二凸部２３を二段重ねで備える絶縁体２とを有し、第一相手側接触部と第二相手側接触部とを二段重ねで配置する。第一凸部及び第二凸部を筒状に囲む相手側嵌合部５２を備える金属シェル５を有し、相手側嵌合部は前面視で中央が張り出した凸字形とし、第一凸部は相手側嵌合部の張り出し部以外の部位からなる第一嵌合部５２ａ内に配置し、第二凸部は相手側嵌合部の張り出し部からなる第二嵌合部５２ｂ内に配置して、第一相手側接触部と第二相手側接触部とは第一凸部と第二凸部との互いに向かい合う表面２２ａ、２３ｂのみに配置する。【選択図】図１
2014154342.tif 000002
【特許請求の範囲】
【請求項１】
ベース部より回路基板と平行して突出する第一凸部及び第二凸部を二段重ねで備える絶縁体と、上記絶縁体に保持され、上記第一凸部に配置する第一相手側接触部及び上記ベース部より上記第一凸部及び上記第二凸部とは反対側へ突出して上記回路基板に半田付けする第一脚部を備える複数の第一コンタクトと、上記第一コンタクトとともに上記絶縁体に保持され、上記第二凸部に配置する第二相手側接触部及び上記ベース部より上記第一脚部と同じ側へ突出して上記回路基板に半田付けする第二脚部を備える複数の第二コンタクトと、上記第一凸部及び上記第二凸部を筒状に囲む相手側嵌合部を備える金属シェルとを有し、上記相手側嵌合部はそれをプラグ側コネクタ嵌合方向から見ると中央が張り出した凸字形とし、上記第一凸部は上記相手側嵌合部の張り出し部以外の部位からなる第一嵌合部内に配置し、上記第二凸部は上記相手側嵌合部の張り出し部からなる第二嵌合部内に配置して、上記第一相手側接触部と上記第二相手側接触部とは上記第一凸部と上記第二凸部との互いに向かい合う表面のみに配置することを特徴とするコネクタ。
【請求項２】
上記第一脚部と横一列で上記第二脚部を配置することを特徴とする請求項１記載のコネクタ。
【請求項３】
上記相手側嵌合部の中央は上記回路基板側へ張り出しており、上記第二嵌合部を上記回路基板に設けた切り欠き部の内に入れ、上記回路基板上には上記第一嵌合部のみを配置した状態で、上記回路基板に実装することを特徴とする請求項１又は２に記載のコネクタ。
【請求項４】
上記金属シェルは上記回路基板に半田付けする複数の脚部を備える一方、上記相手側嵌合部の上記第一嵌合部の両端から上記第二嵌合部の付け根にかけての肩部の少なくとも一部を上記回路基板に当接させ、その当接部で上記相手側嵌合部を上記回路基板に半田付けで直付けすることを特徴とする請求項１乃至３の何れか一つに記載のコネクタ。
【請求項５】
上記第一嵌合部がマイクロＵＳＢ２．０レセプタクル側コネクタの規格形状を満たし、上記第一嵌合部でマイクロＵＳＢ２．０プラグ側コネクタと嵌合することを特徴とする請求項１乃至４の何れか一つに記載のコネクタ。
【発明の詳細な説明】
【技術分野】
【０００１】
本発明は、コネクタに関し、詳しくは二種類以上のプラグ側コネクタと嵌合（接続）することができるレセプタクル側コネクタに関するものである。
【背景技術】
【０００２】
この種のレセプタクル側コネクタに関し、特許文献１、２には、ベース部（特許文献１では基端部１５、特許文献２では主体部１０）より回路基板と平行して突出する第一凸部（保持部１６、第二舌状部１２）及び第二凸部（保持部１７、第一舌状部１１）を備える絶縁体（絶縁ハウジング１２、絶縁ハウジング１）と、絶縁体に保持され、第一凸部に配置する第一相手側接触部（先端部４５、接触部３１）及びベース部より第一凸部及び第二凸部と反対側へ突出して回路基板に半田付けする第一脚部（後端部３９、端子部３３）を備える複数の第一コンタクト（端子３０、第二端子３）と、第一コンタクトとともに絶縁体に保持され、第二凸部に配置する第二相手側接触部（先端部４７、接触部２１）及びベース部より第一脚部と同じ側へ突出して回路基板に半田付けする第二脚部（後端部４９、端子部２３）を備える複数の第二コンタクト（端子４０、第一端子２）と、第一凸部及び第二凸部を筒状に囲む相手側嵌合部（嵌合部２８、２９、第一カバー４１）を備える金属シェル（金属シェル２４、金属シェル４）とを有し、第一コンタクトにのみ電気接続するプラグ側コネクタ（プラグコネクタ６０、ＵＳＢプラグ４００）及び第一コンタクトと第二コンタクトの両方に電気接続するプラグ側コネクタ（プラグコネクタ６０’、プラグ２００）と嵌合することができるもの（レセプタクルコネクタ１０、ソケット１００）が開示されている。
【０００３】
特許文献１に開示されるものは、前面視（正面視）で第二凸部を第一凸部の横に並べて配置し、第二相手側接触部を第一相手側接触部の横に並べて配置する。また、第一相手側接触部は第一凸部の回路基板側の表面に、第二相手側接触部は第二凸部の回路基板側の表面に、それぞれ、横に並べて配置する。
【０００４】
特許文献２に開示されるものは、前面視（正面視）で第二凸部を第一凸部の回路基板側と反対側に二段重ねで配置し、第二相手側接触部を第一相手側接触部の回路基板側と反対側に二段重ねで配置する。また、第一相手側接触部は第一凸部の回路基板側の表面と第一凸部の第二凸部と互いに向かい合う表面とに、それぞれ横に並べて配置し、第二相手側接触部は第二凸部の回路基板側の表面であって、第一凸部と互いに向かい合う表面に横に並べて配置する。
【０００５】
また、特許文献１、２に開示されるものは、ＵＳＢ（Universal Serial Bus）３．０規格まで対応のレセプタクル側コネクタで実用化されている。このレセプタクル側コネクタでは後方互換性が確保され、ＵＳＢ３．０規格まで対応のプラグ側コネクタ（特許文献１の図５に示されるプラグコネクタ６０’、特許文献２の図６に示されるプラグ２００）とは別に、ＵＳＢ２．０規格まで対応のプラグ側コネクタ（特許文献１の図４に示されるプラグコネクタ６０、特許文献２の図１６に示されるＵＳＢプラグ４００）とも嵌合することができる。
【０００６】
ＵＳＢ３．０規格まで対応のレセプタクル側コネクタの中には、前面視で第二相手側接触部を第一相手側接触部よりも奥側に配置するものもある。
【先行技術文献】
【特許文献】
【０００７】
【特許文献１】特開２００９−２７７４９７号公報
【特許文献２】特開２０１０−１０１２９号公報
【発明の概要】
【発明が解決しようとする課題】
【０００８】
レセプタクル側コネクタが搭載されるパソコン、周辺機器、デジタル家電、携帯型電子機器、家庭用ゲーム機、車載用電子機器などの電子機器の多くで、小型・薄型化が進むとともに、表示画面の大型化、多機能・高性能化、携帯型電子機器ではさらに無接点充電用コイルの追加などにより、レセプタクル側コネクタを取り付けるスペースが減少している。
【０００９】
レセプタクル側コネクタには小型・低背化（省スペース化）が強く求められているが、上記のような二種類以上のプラグ側コネクタと嵌合することができる従来のレセプタクル側コネクタでは、一種類のプラグ側コネクタと嵌合することができるレセプタクル側コネクタから大幅に大型化され、多くの取り付けスペース（基板専有面積×基板実装高）を必要とするという問題があった。
【００１０】
即ち、第二相手側接触部を第一相手側接触部の奥側に配置するものでは、プラグ側コネクタ嵌合方向に沿ったレセプタクル側コネクタ全体の奥行きが大幅に長くなるため、レセプタクル側コネクタの基板実装面積が大幅に大きくなってしまう。また、第二相手側接触部を第一相手側接触部の横に並べて配置するものでは、レセプタクル側コネクタ全体の幅（横幅）が大幅に長くなるため、同じくレセプタクル側コネクタの基板専有面積が大幅に大きくなってしまう。これらに対し、第二相手側接触部を第一相手側接触部の回路基板側と反対側に二段重ねで配置するものでは、場合によって（第二脚部の配置を工夫した場合など）、レセプタクル側コネクタ全体の奥行きも幅も殆ど長くならず、レセプタクル側コネクタの基板専有面積は殆ど大きくならないものの、レセプタクル側コネクタ全体の高さが大幅に高くなるため、レセプタクル側コネクタの基板実装高が大幅に高くなってしまう。
【００１１】
本発明は、上記のような問題点に鑑み、二種類以上のプラグ側コネクタと嵌合することができるレセプタクル側コネクタを、従来よりも小型・低背で実現することを目的とする。
【課題を解決するための手段】
【００１２】
上記課題を解決するための手段としての本発明のコネクタは、ベース部より回路基板と平行して突出する第一凸部及び第二凸部を二段重ねで備える絶縁体と、上記絶縁体に保持され、上記第一凸部に配置する第一相手側接触部及び上記ベース部より上記第一凸部及び上記第二凸部とは反対側へ突出して上記回路基板に半田付けする第一脚部を備える複数の第一コンタクトと、上記第一コンタクトとともに上記絶縁体に保持され、上記第二凸部に配置する第二相手側接触部及び上記ベース部より上記第一脚部と同じ側へ突出して上記回路基板に半田付けする第二脚部を備える複数の第二コンタクトと、上記第一凸部及び上記第二凸部を筒状に囲む相手側嵌合部を備える金属シェルとを有し、上記相手側嵌合部はそれをプラグ側コネクタ嵌合方向から見ると中央が張り出した凸字形とし、上記第一凸部は上記相手側嵌合部の張り出し部以外の部位からなる第一嵌合部内に配置し、上記第二凸部は上記相手側嵌合部の張り出し部からなる第二嵌合部内に配置して、上記第一相手側接触部と上記第二相手側接触部とは上記第一凸部と上記第二凸部との互いに向かい合う表面のみに配置する構成とする。
【００１３】
上記本発明のコネクタでは、相手側嵌合部の一部、例えば第一嵌合部によって、第一コンタクトにのみ電気接続するプラグ側コネクタと嵌合したり、相手側嵌合部全体（第一嵌合部＋第二嵌合部）によって、第二コンタクトにのみ接続するプラグ側コネクタや第一コンタクトと第二コンタクトの両方に電気接続するプラグ側コネクタと嵌合することができるが、第一相手側接触部を配置する第一凸部及び第二相手側接触部を配置する第二凸部を二段重ねで備える絶縁体を有し、第一相手側接触部と第二相手側接触部とを二段重ねで配置するという構成を採用することにより、一種類のプラグ側コネクタと嵌合することができるレセプタクル側コネクタと比べて、レセプタクル側コネクタ全体の奥行きについて、少なくとも大幅に長くならないようにし、レセプタクル側コネクタ全体の幅について、殆ど長くならないようにし、レセプタクル側コネクタの基板専有面積が少なくとも大幅に大きくならないようにする。その上で、第一相手側接触部と第二相手側接触部とを第一凸部と第二凸部の互いに向かい合う表面のみに配置するという構成を採用することにより、第一凸部と第二凸部との間の空隙（凹部）に、嵌合相手となるプラグ側コネクタの全ての相手側接触部を挿入させ、第一凸部と第二凸部それぞれのコンタクト配置表面とは反対側の表面と金属シェルとの間には、その相手側接触部を挿入するための空隙高を確保しなくて済むようにし、一種類のプラグ側コネクタと嵌合することができるレセプタクル側コネクタと比べて、レセプタクル側コネクタ全体の高さについても、少なくとも大幅に高くならないようにし、レセプタクル側コネクタの基板実装高も少なくとも大幅に大きくならないようにすることで、二種類以上のプラグ側コネクタと嵌合することができるレセプタクル側コネクタの小型・低背化を図る。
【００１４】
上記本発明のコネクタでは、上記第一脚部と横一列で上記第二脚部を配置するという構成を付加した場合、レセプタクル側コネクタ全体の奥行きについて、一種類のプラグ側コネクタと嵌合することができるレセプタクル側コネクタのものと同等にまで短く抑え、レセプタクル側コネクタの基板専有面積を、一種類のプラグ側コネクタと嵌合することができるレセプタクル側コネクタのものと同等にまで小さくすることができ、二種類以上のプラグ側コネクタと嵌合することができるレセプタクル側コネクタのさらなる小型化が可能となる。
【００１５】
上記本発明のコネクタでは、上記相手側嵌合部の中央は上記回路基板側へ張り出しており、上記第二嵌合部を上記回路基板に設けた切り欠き部の内に入れ、上記回路基板上には上記第一嵌合部のみを配置した状態で、上記回路基板に実装するという構成を付加した場合、レセプタクル側コネクタの基板実装高を、一種類のプラグ側コネクタと嵌合することができるレセプタクル側コネクタのものと同等にまで低くすることができ、二種類以上のプラグ側コネクタと嵌合することができるレセプタクル側コネクタのさらなる低背化（基板実装高）が可能となる。
【００１６】
上記本発明のコネクタでは、上記第一脚部と横一列で上記第二脚部を配置するという構成と、上記相手側嵌合部の中央は上記回路基板の側へ張り出しており、上記第二嵌合部を上記回路基板に設けた切り欠き部内に入れ、上記回路基板上には上記第一嵌合部のみを配置した状態で、上記回路基板に実装するという構成とを付加した場合、レセプタクル側コネクタの基板専有面積と基板実装高の両方を、一種類のプラグ側コネクタと嵌合することができるレセプタクル側コネクタのものと同等にまで抑えることができ、二種類以上のプラグ側コネクタと嵌合することができるレセプタクル側コネクタが、一種類のプラグ側コネクタと嵌合することができるレセプタクル側コネクタと同等のスペースで取り付け可能となる。
【００１７】
上記本発明のコネクタでは、上記金属シェルは上記回路基板に半田付けする複数の脚部を備える一方、上記相手側嵌合部の上記第一嵌合部の両端から上記第二嵌合部の付け根にかけての肩部の少なくとも一部を上記回路基板に当接させ、その当接部で上記相手側嵌合部を上記回路基板に半田付けで直付けするという構成を付加した場合、二種類以上のプラグ側コネクタと嵌合することができるレセプタクル側コネクタの許容こじり荷重を向上しながら、そのレセプタクル側コネクタのさらなる小型・低背化が可能となる。
【００１８】
上記本発明のコネクタでは、上記第一嵌合部がマイクロＵＳＢ２．０レセプタクル側コネクタの規格形状を満たし、上記第一嵌合部でマイクロＵＳＢ２．０プラグ側コネクタと嵌合するという構成を付加した場合、マイクロＵＳＢ２．０プラグ側コネクタを使用して、ＵＳＢ規格に沿った信号伝送や給電が可能になると同時に、相手側嵌合部全体に嵌合し少なくとも第二コネクタと電気接続するプラグ側コネクタを使用することで、他の信号の伝送等が可能となる。そして、このような二種類以上のプラグ側コネクタと嵌合することができるレセプタクル側コネクタの小型・低背化が可能となる。
【発明の効果】
【００１９】
本発明によれば、二種類以上のプラグ側コネクタと嵌合することができるレセプタクル側コネクタを、従来よりも小型・低背で実現することができる。
【図面の簡単な説明】
【００２０】
【図１】本発明の一実施形態によるレセプタクル側コネクタ１の前面図である。
【図２】レセプタクル側コネクタ１の下面図である。
【図３】レセプタクル側コネクタ１の左側面図である。
【図４】レセプタクル側コネクタ１の側断面図である。
【図５】レセプタクル側コネクタ１を分解状態で示す後面斜視図である。
【図６】図６（Ａ）は、絶縁体２の前面図、図６（Ｂ）は、絶縁体２の下面図、図６（Ｃ）は、絶縁体２の側断面図である。
【図７】図７（Ａ）は、第一コンタクト３の前面図、図７（Ｂ）は、第一コンタクト３の上面図、図７（Ｃ）は、第一コンタクト３の右側面図である。
【図８】図８（Ａ）は、第二コンタクト４Ａ、４Ｂの前面図、図８（Ｂ）は、第二コンタクト４Ａ、４Ｂの上面図、図８（Ｃ）は、第二コンタクト４Ａ、４Ｂの右側面図である。
【図９】図９（Ａ）は、金属シェル５の前面図、図９（Ｂ）は、金属シェル５の下面図、図９（Ｃ）は、金属シェル５の側断面図である。
【図１０】レセプタクル側コネクタ１の第二プラグ側コネクタ２０１との嵌合状態を示す側断面図である。
【図１１】レセプタクル側コネクタ１の第三プラグ側コネクタ３０１との嵌合状態を示す側断面図である。
【発明を実施するための形態】
【００２１】
以下、本発明の一実施形態を図面に基づいて説明する。
【００２２】
図１は、本発明の一実施形態によるレセプタクル側コネクタ（以下、単に「レセプタクル」という。）１を嵌合相手のプラグ側コネクタ側から見た前面図（正面図）である。
【００２３】
本実施形態のレセプタクル１は、マイクロＵＳＢ２．０規格（特定の接続規格の一例）に向けた５ピン分５本の第一コンタクト３を有するとともに、この第一コンタクト３とは別に当該レセプタクル１で追加して増やした６ピン分６本の第二コンタクト４Ａ、４Ｂを有し、嵌合相手の二種類以上のプラグ側コネクタの一例として、第一コンタクト３にのみ電気接続する第一プラグ側コネクタ、即ちマイクロＵＳＢ２．０プラグ側コネクタ（以下、単に「マイクロＵＳＢ２．０プラグ」という。）（図示省略）、及び第二コンタクト４Ａ、４Ｂにのみ接続する第二プラグ側コネクタ（以下、単に「第二プラグ」という。）２０１（図１０参照。）、及び第一コンタクト３と第二コンタクト４Ａ、４Ｂの両方に電気接続する第三プラグ側コネクタ（以下、単に「第三プラグ」という。）３０１（図１１参照。）と嵌合することができるものである。
【００２４】
また、図２は、レセプタクル１の下面図（底面図）、図３は、レセプタクル１の左側面図、図４は、レセプタクル１の側断面図である。
【００２５】
図２の矢印Ｄで示すプラグ側コネクタ嵌合方向（以下、単に「プラグ嵌合方向」という。）に沿った前後方向がレセプタクル１の奥行き方向、図２の矢印Ｗで示す左右方向がレセプタクル１の幅（以下、「横幅」という。）方向、図３の矢印Ｈ１、Ｈ２で示す上下方向がレセプタクル１の高さ方向である。また、矢印Ｄの長さはレセプタクル１全体の奥行き（寸法）を、矢印Ｗの長さはレセプタクル１全体の横幅（寸法）を、矢印Ｈ１の長さはレセプタクル１全体の高さ（寸法）を、それぞれ示す。
【００２６】
また、図５は、レセプタクル１を分解状態で示す後面斜視図（背面斜視図）である。
【００２７】
レセプタクル１は、樹脂成形された絶縁体２と、絶縁体２に一体成形された第一コンタクト３と、第一コンタクト３とともに絶縁体２に一体成形された第二コンタクト４Ａ、４Ｂと、絶縁体２を筒状に覆う金属シェル５とから構成される。
【００２８】
図６（Ａ）は、絶縁体２の前面図、図６（Ｂ）は、絶縁体２の下面図、図６（Ｃ）は、絶縁体２の側断面図である。
【００２９】
絶縁体２は、レセプタクル１の後端側に配置するベース部２１と、ベース部２１より上下二段で、回路基板（ＰＣＢ）１００と平行してプラグ嵌合方向に沿ってレセプタクル１の前端側へ突出する第一凸部２２及び第二凸部２３とを備える。
【００３０】
ベース部２１には、横長な直方体状の第一ベース部２１ａと、第一ベース部２１ａの中央を回路基板１００側となる下側へ張り出した部位でなる横長な直方体状の第二ベース部２１ｂとが形成され、ベース部２１は、前面視で横長な長方形の中央が下側へ張り出した凸字形とされており、第一ベース部２１ａの前面の中央上部より、第一凸部２２が、回路基板１００と平行して長方形板状でプラグ嵌合方向に沿ってレセプタクル１の前端側へ突出され、第二ベース部２１ｂの前面の中央上部より、第二凸部２３が、回路基板１００と平行して長方形板状でプラグ嵌合方向に沿ってレセプタクル１の前端側へ突出され、上側の第一凸部２２の下表面２２ａと下側の第二凸部２３の上表面２３ａとが、所定の空隙１１を設けて互いに向かい合うように構成してある。
【００３１】
ベース部２１には、第一ベース部２１ａの左右両端から第二ベース部２１ｂの左右付け根にかけての第一ベース部２１ａの下面からなる肩部２１ｃが形成されており、第二ベース部２１ｂの横幅は、第一凸部２２の横幅と比べて長くする一方で、第二凸部２３の横幅は、第一凸部２２の横幅と比べて短くし、第二ベース部２１ｂの横幅を第一凸部２２の横幅に近付けることで、肩部２１ｃの横幅をできる限り長く確保するように構成してある。
【００３２】
第二凸部２３の突出長さは、第一凸部２２の突出長さと比べて短くし、第二凸部２３の前端を第一凸部２２の前端よりもプラグ嵌合方向奥側へ後退した位置に形成するように構成してある。
【００３３】
絶縁体２には、金属シェル５と結合するため複数の係合部が形成される。複数の係合部には、第一係合部２１ｄと第二係合部２１ｅと第三係合部２１ｆとが含まれる。第一係合部２１ｄは、第一ベース部２１ａの上面中央に形成される溝であって、上面視で前側へ開口したコ字形の溝からなる。第二係合部２１ｅは、第二ベース部２１ｂの下面中央に形成される溝であって、第二ベース部２１ｂの前面と後面とに貫通した直溝からなる。第三係合部２１ｆは、第一ベース部２１ａの後面の中央を避けてその左右両側に形成される溝であって、後面視で上側へ開口したコ字形の溝からなる。
【００３４】
図７（Ａ）は、第一コンタクト３の前面図、図７（Ｂ）は、第一コンタクト３の上面図（平面図）、図７（Ｃ）は、第一コンタクト３の右側面図である。
【００３５】
第一コンタクト３は、絶縁体２に一体成形されて保持され、第一凸部２２に配置する第一相手側接触部３１、及びベース部２１より第一凸部２２及び第二凸部２３とは反対側となる後側へ突出して回路基板１００に半田付けする第一脚部３２を備えるとともに、第一相手側接触部３１と第一脚部３２とを連続一体に連設する第一連設部３３を備える。
【００３６】
第一相手側接触部３１は、第一コンタクト３の前端側に形成された細幅の金属平板部からなり、第一凸部２２の下表面２２ａ上で、第一凸部２２の前端側よりプラグ嵌合方向に沿って後側へ延伸し、第一相手側接触部３１の後端は第一凸部２２の下表面２２ａを過ぎて第一ベース部２１ａ内に位置する。第一連設部３３は、Ｌ字形に曲げられた細幅の金属平板部でなり、第一相手側接触部３１の後端よりプラグ嵌合方向に沿ってさらに後側へ延伸し、第一ベース部２１ａの中央上部を貫通して第一ベース部２１ａの後側へ突出したところで、第一ベース部２１ａの後面に沿って下側へ延伸する。第一脚部３２は、第一連設部３３の下端側が曲げられてプラグ嵌合方向に沿って後側へ延伸した細幅の金属平板部でなり、第一コンタクト３の後端側に形成される。第一脚部３２の下面は、回路基板１００と平行であって、ベース部２１の肩部２１ｃを含む一平面内に位置する。
【００３７】
第一コンタクト３は、第一凸部２２及び第一ベース部２１ａの中央上部によって保持されており、第一凸部２２の横幅内で、レセプタクル１の横幅方向に沿って所定のピッチ間隔で左右横一列に並べられて、プラグ嵌合方向に沿って平行に配置される。第一相手側接触部３１は、第一凸部２２の下表面２２ａ上で、レセプタクル１の横幅方向に沿って所定のピッチ間隔で左右横一列に並べられて、プラグ嵌合方向に沿って平行に配置されており、第一相手側接触部３１の平らな下表面が、その下側の空隙１１に露出される。第一脚部３２は、第一ベース部２１ａの中央下部の後側にて、回路基板１００と平行であって、ベース部２１の肩部２１ｃを含む一平面上で、レセプタクル１の横幅方向に沿って所定のピッチ間隔で左右横一列に並べられて、プラグ嵌合方向に沿って平行に配置される。
【００３８】
第一コンタクト３は、フープ材などの金属材料を打ち抜き加工及び曲げ加工することによって、それぞれの後端が図示しないキャリアに繋がれ、レセプタクル１の横幅方向に沿って所定のピッチ間隔で左右横一列に並べられた状態で一括に形成され、その状態で絶縁体２の成形金型にセットされ、絶縁体２の成形後にキャリアが切り離されて、それぞれ独立した５本の第一コンタクト３として絶縁体２に一体成形され、保持される。
【００３９】
図示する第一脚部３２は表面実装用のものであるが、挿入実装用のものでもよい。挿入実装用の第一脚部は、第一連設部３３の下端側を曲げずにそのまま下側へ延伸させた、回路基板１００とは垂直な細幅の金属平板部（金属ピン）でなる。
【００４０】
図８（Ａ）は、第二コンタクト４Ａ、４Ｂの前面図、図８（Ｂ）は、第二コンタクト４Ａ、４Ｂの上面図、図８（Ｃ）は、第二コンタクト４Ａ、４Ｂの右側面図である。
【００４１】
第二コンタクト４Ａ、４Ｂは、絶縁体２に一体成形されて保持され、第二凸部２３に配置する第二相手側接触部４１ａ、４１ｂを備える。絶縁体２は、第一相手側接触部３１を配置する第一凸部２２、及び第二相手側接触部４１ａ、４１ｂを配置する第二凸部２３を二段重ねで備えており、第一相手側接触部３１と第二相手側接触部４１ａ、４１ｂとを二段重ねで配置するように構成してある。
【００４２】
第二相手側接触部４１ａ、４１ｂは、第二コンタクト４Ａ、４Ｂの前端側に形成された細幅の金属平板部からなり、第二凸部２３の上表面２３ａ上で、第二凸部２３の前端側よりプラグ嵌合方向に沿って後側へ延伸し、第二相手側接触部４１ａ、４１ｂの後端は第二凸部２３の上表面２３ａを過ぎて第二ベース部２１ｂ内に位置する。第二相手側接触部４１ａ、４１ｂは、第二凸部２３の上表面２３ａ上で、レセプタクル１の横幅方向に沿って所定のピッチ間隔で左右横一列に並べられて、プラグ嵌合方向に沿って平行に配置されており、第二相手側接触部４１ａ、４１ｂの平らな上表面が、その上側の空隙１１に露出される。そして、第一相手側接触部３１と第二相手側接触部４１ａ、４１ｂとを第一凸部２２と第二凸部２３の互いに向かい合う表面２２ａ、２３ａのみに配置するように構成してある。
【００４３】
第二コンタクト４Ａ、４Ｂは、絶縁体２に一体成形されて保持され、第二凸部２３に配置する第二相手側接触部４１ａ、４１ｂ、及びベース部２１より第一脚部３２と同じ側となる後側へ突出して回路基板１００に半田付けする第二脚部４２ａ、４２ｂを備えるとともに、第二相手側接触部４１ａ、４１Ｂと第二脚部４２ａ、４２ｂとの間を連続一体に連設する第二連設部４３ａ、４３ｂを備える。
【００４４】
第二コンタクト４Ａ、４Ｂは、中央２本の第二脚部４２ａ、４２ｂの間に、５本の第一脚部３２が割り込み配置可能な間隔４４を確保するように、左側３本の第二コンタクト４Ａと右側３本の第二コンタクト４Ｂとに分けられて、上面視で、軸対称形に形成され、配置される。
【００４５】
第二コンタクト４Ａは、絶縁体２の左側半部に保持され、第二凸部２３の左側半部の上表面２３ａに配置する第二相手側接触部４１ａ、及びベース部２１より第一脚部３２と同じ側となる後側へ突出して左端の第一脚部３２のさらに左側で回路基板１００に半田付けする第二脚部４２ａを備えるとともに、第二相手側接触部４１ａと第二脚部４２ａとを連続一体に連設する第二連設部４３ａを備える。
【００４６】
第二相手側接触部４１ａは、第二コンタクト４Ａの前端側に形成された細幅の金属平板部からなり、第二凸部２３の左側半部の上表面２３ａ上で、第二凸部２３の前端側よりプラグ嵌合方向に沿って後側へ延伸し、第二相手側接触部４１ａの後端は第二凸部２３の左側半部の上表面２３ａを過ぎて第二ベース部２１ｂ内に位置する。第二連設部４３ａは、クランク形状に打ち抜かれた細幅の金属平板部でなり、第二相手側接触部４１ａの後端より第一ベース部２１ｂの中央下部まで上側へ延伸した後、プラグ嵌合方向に沿ってさらに後側へ延伸し、さらにはレセプタクル１の横幅方向に沿って左側へ延伸した後、プラグ嵌合方向に沿ってさらに後側へ延伸し、第一ベース部２１ａの左側半部の下部を貫通して左端の第一連接部３３のさらに左側で第一ベース部２１ａの後側へ突出したところで、第一ベース部２１ａの後面に沿って下側へ延伸する。第二脚部４２ａは、第二連設部４３ａの下端側が曲げられてプラグ嵌合方向に沿って後側へ延伸した細幅の金属平板部でなり、第二コンタクト４Ａの後端側に形成される。第二脚部４２ａは、左端の第一脚部３２のさらに左側に位置する。また、第二脚部４２ａの下面は、回路基板１００と平行であって、ベース部２１の肩部２１ｃを含む一平面内に位置する。
【００４７】
第二コンタクト４Ｂは、絶縁体２の右側半部に保持され、第二凸部２３の右側半部の上表面２３ａに配置する第二相手側接触部４１ｂ、及びベース部２１より第一脚部３２と同じ側となる後側へ突出して右端の第一脚部３２のさらに右側で回路基板１００に半田付けする第二脚部４２ｂを備えるとともに、第二相手側接触部４１ｂと第二脚部４２ｂとを連続一体に連設する第二連設部４３ｂを備える。
【００４８】
第二相手側接触部４１ｂは、第二コンタクト４Ｂの前端側に形成された細幅の金属平板部からなり、第二凸部２３の右側半部の上表面２３ａ上で、第二凸部２３の前端側よりプラグ嵌合方向に沿って後側へ延伸し、第二相手側接触部４１ｂの後端は第二凸部２３の右側半部の上表面２３ａを過ぎて第二ベース部２１ｂ内に位置する。第二連設部４３ｂは、クランク形状に打ち抜かれた細幅の金属平板部でなり、第二相手側接触部４１ｂの後端より第一ベース部２１ｂの中央下部まで上側へ延伸した後、プラグ嵌合方向に沿ってさらに後側へ延伸し、さらにはレセプタクル１の横幅方向に沿って右側へ延伸した後、プラグ嵌合方向に沿ってさらに後側へ延伸し、第一ベース部２１ａの右側半部の下部を貫通して右端の第一連接部３３のさらに右側で第一ベース部２１ａの後側へ突出したところで、第一ベース部２１ａの後面に沿って下側へ延伸する。第二脚部４２ｂは、第二連設部４３ｂの下端側が曲げられてプラグ嵌合方向に沿って後側へ延伸した細幅の金属平板部でなり、第二コンタクト４Ｂの後端側に形成される。第二脚部４２ｂは、右端の第一脚部３２のさらに右側に位置する。また、第二脚部４２ｂの下面は、回路基板１００と平行であって、ベース部２１の肩部２１ｃを含む一平面内に位置する。
【００４９】
第二相手側接触部４１ａ、４１ｂは、第二凸部２３の上表面２３ａ上で、レセプタクル１の横幅方向に沿って所定のピッチ間隔で左右横一列に並べられて、プラグ嵌合方向に沿って平行に配置されており、第二相手側接触部４１ａ、４１ｂの平らな上表面が、その上側の空隙１１に露出される。第二脚部４２ａは、第一ベース部２１ａの中央下部を避けてその左側の後側にて、即ち左端の第一脚部３２のさらに左側にて、回路基板１００と平行であって、ベース部２１の肩部２１ｃを含む一平面上で、レセプタクル１の横幅方向に沿って所定のピッチ間隔で左右横一列に並べられて、プラグ嵌合方向に沿って平行に配置される。第二脚部４２ｂは、第一ベース部２１ａの中央下部を避けてその右側の後側にて、即ち右端の第一脚部３２のさらに右側にて、回路基板１００と平行であって、ベース部２１の肩部２１ｃを含む一平面上で、レセプタクル１の横幅方向に沿って所定のピッチ間隔で左右横一列に並べられて、プラグ嵌合方向に沿って平行に配置される。第二脚部４２ａ、４２ｂは、第一脚部３２とレセプタクル１の横幅方向に沿って左右横一列に並べられて、プラグ嵌合方向に沿って平行に配置されるように構成してある。即ち第一ベース部２１ａの下部の後側には、５本の第一脚部３２と６本の第二脚部４２ａ、４２ｂとで合計１１本の脚部がレセプタクル１の横幅方向に沿って左右横一列に並べられて、プラグ嵌合方向に沿って平行に配置されるように構成してある。
【００５０】
第二コンタクト４Ａ、４Ｂは、フープ材などの金属材料を打ち抜き加工及び曲げ加工することによって、それぞれの後端が図示しないキャリアに繋がれ、左側３本の第二コンタクト４Ａと右側３本の第二コンタクト４Ｂとが上面視軸対称形で、第二相手側接触部４１ａ、４１ｂ及び第二脚部４２ａ、４２ｂがレセプタクル１の横幅方向に沿って左右横一列に並べられた状態で一括に形成され、その状態で絶縁体２の成形金型にセットされ、絶縁体２の成形後にキャリアが切り離されて、それぞれ独立した６本の第二コンタクト４Ａ、４Ｂとして絶縁体２に一体成形され、保持される。
【００５１】
図示する第二脚部４２ａ、４２ｂは表面実装用のものであるが、挿入実装用のものでもよい。挿入実装用の第二脚部は、第二連設部４３ａ、４３ｂの下端側を曲げずにそのまま下側へ延伸させた、回路基板１００とは垂直な細幅の金属平板部（金属ピン）でなる。
【００５２】
図９（Ａ）は、金属シェル５の前面図、図９（Ｂ）は、金属シェル５の下面図、図９（Ｃ）は、金属シェル５の側断面図である。
【００５３】
金属シェル５は、薄いステンレス板など金属材料を打ち抜き及び曲げ加工することによって形成されており、第一ベース部２１の上面及び左右側面の三面を覆うカバー部５１、及び第一凸部２２及び第二凸部２３を筒状に囲む相手側嵌合部５２を備えるとともに、回路基板１００に半田付けする複数の脚部５３を備える。
【００５４】
相手側嵌合部５２は、ベース部２１の前面外形に対応して、前面視で横長な長方形の中央が下側へ張り出した凸字形とされており、相手側嵌合部５２には、相手側嵌合部５２の張り出し部以外の部位であって、第一ベース部２１ａの前面外形に対応する、下側に開口したＣ形の部位からなる第一嵌合部５２ａと、相手側嵌合部５２の張り出し部であって、第二ベース部２１ｂの前面外形に対応する、上側に開口したコ字形の部位からなる第二嵌合部５２ｂとが形成され、第一凸部２２を第一嵌合部５２ａ内に配置し、第二凸部２３を第二嵌合部５２ｂ内に配置するように構成してある。
【００５５】
相手側嵌合部５２には、第一嵌合部５２ａの左右両端から第二嵌合部５２ｂの左右付け根にかけての第一嵌合部５２ａの下面からなる肩部５２ｃが形成されており、第二嵌合部５２ｂの横幅は、第一凸部２２の横幅と比べて長くする一方で、第二凸部２３の横幅は、第一凸部２２の横幅と比べて短くし、第二嵌合部５２ｂの横幅を第一凸部２２の横幅に近付けることで、肩部５２ｃの横幅をできる限り長く確保するように構成してある。
【００５６】
相手側嵌合部５２の上側板の左右両端には、マイクロＵＳＢ２．０プラグ、第二プラグ２０１、第三プラグ３０１との嵌合時に、マイクロＵＳＢ２．０プラグ、第二プラグ２０１、第三プラグ３０１それぞれに有する２本のラッチの係合突起が嵌り込むことで、相手側嵌合部５２からのマイクロＵＳＢ２．０プラグ、第二プラグ２０１、第三プラグ３０１の不用意な抜けを防止する係合孔５２ｄが形成される。
【００５７】
相手側嵌合部５２には、マイクロＵＳＢ２．０プラグ、第二プラグ２０１、第三プラグ３０１の挿入を容易にするため、第一嵌合部５２ａの上側板の前端側より斜め上側へ突出する図示しない板状の誘い込み部や第二嵌合部５２ｂの下側板の前端側より斜め下側へ突出する図示しない板状の誘い込み部が形成されてもよい。
【００５８】
金属シェル５には、絶縁体２と結合するための複数の係合部が形成される。複数の係合部には、第一係合部５１ａと第二係合部５１ｂと第三係合部５１ｃとが含まれる。第一係合部５１ａは、カバー部５１の上側板の中央より下側（内側）へ張り出した金属突起であって、絶縁体２側の第一係合部２１ｄの係合相手である。第二係合部５１ｂは、第二嵌合部５２ｂの下側板の後端中央よりさらに後側へ突出して形成されてカバー部５１の一部となり、第一ベース部２１の下面中央を覆う幅広な金属片であって、絶縁体２側の第二係合部２１ｅの係合相手である。第三係合部５１ｃは、カバー部５１の上側板の後端側中央を避けてその左右両側より後側へ突出して形成された金属片であって、絶縁体２側の第三係合部２１ｆの係合相手である。図５、図９（Ａ）乃至図９（Ｃ）には、曲げられて下側へ突出した係合状態で第三係合部５１ｃを示す。
【００５９】
脚部５３は、カバー部５１の後端側の左右両端及び第一嵌合部５２ａの後端側の左右両端の合計４箇所より下側へ突出して形成された４本の金属片から構成される。
【００６０】
図示する脚部５３は挿入実装用のものであるが、表面実装用のものでもよい。表面実装用の脚部は、４箇所より、回路基板１００と平行であって、ベース部２１の肩部２１ｃを含む一平面上で、外側へ突出する。
【００６１】
挿入実装用の脚部５３は、少なくとも相手側嵌合部５２の肩部５２ｃを越えて下側へ突出する。
【００６２】
そして、金属シェル５（但し、第三係合部５１ｃは、曲げられておらず後側へ突出した状態）に、第一コンタクト３及び第二コンタクト４が一体成形された絶縁体２を後側より挿入し、金属シェル５側の第一係合部５１ａを絶縁体２側の第一係合部２１ｄに挿入係合するとともに、金属シェル５側の第二係合部５１ｂを絶縁体２側の第二係合部２１ｅに挿入係合した後、金属シェル５側の第三係合部５１ｃを曲げて絶縁体２側の第三係合部２１ｆに嵌入係合することで、金属シェル５は、カバー部５１によって第一ベース部２１の上面及び左右側面の三面に加え、第二係合部５１ｂによって第二ベース部２１ｂの下面中央を覆い（カバー部５１は、第一ベース部２１を概ね筒状に覆う。）、また、相手側嵌合部５２によって第一凸部２２及び第二凸部２３を筒状に囲み、さらに、相手側嵌合部５２の前端側を前面視で横長な長方形の中央が下側へ張り出した凸字形に開口１０し、この状態で絶縁体２に結合固定される。即ち、図１乃至図４に示すように、レセプタクル１が組み立てられる。
【００６３】
組み立てられたレセプタクル１は、回路基板１００の端部に実装される。回路基板１００の端部には、第二ベース部２１ｂ及び第二嵌合部５２ｂに対応し、これらを収容するコ字形の切り欠き部１０１が設けられるとともに、回路基板１００の切り欠き部１０１の周囲であって、切り欠き部１０１の奥側の位置には、５本の第一脚部３２と６本の第二脚部４２ａ、４２ｂに対応して、これらをそれぞれ半田付けする５本の第一脚部３２分５個の第一ランド部１０２と６本の第二脚部４２ａ、４２ｂ分６個の第二ランド部１０３の合計１１個が一列に並べられて形成され、また、切り欠き部１０１の左右両側の位置には、４本の脚部５３に対応して、これらを半田付けする４個のスルーホール１０４が片側２個ずつで形成されるとともに、相手側嵌合部５２の肩部５２ｃの第二嵌合部５２ｂの左右付け根端部に対応して、これらを半田付けする２個の第三ランド部１０５が片側１個ずつで形成される。
【００６４】
第一ランド部１０２は、マイクロＵＳＢ２．０規格に対応し、信号伝送用及び給電用を含む。第二ランド部１０３は、例えばＵＳＢ２．０規格と比べて、高速な信号伝送用及び／又は高電圧の給電用を含む。第一ランド部１０２及び第二ランド部１０３は、第一脚部３２及び第二脚部４２ａ、４２ｂが挿入実装用の場合、スルーホールとなる。スルーホール１０４及び第三ランド部１０５は接地用である。スルーホール１０４は、脚部５３が表面実装用の場合、ランド部となる。
【００６５】
レセプタクル１は、第二ベース部２１ｂ及び第二嵌合部５２ｂが、回路基板１００の切り欠き部１０１に落とし込まれ、ベース部２１の肩部２１ｃの少なくとも第二ベース部２１ｂの左右付け根側端部及び相手側嵌合部５２の肩部５２ｃの少なくとも第二嵌合部５２ｂの左右付け根端部が、回路基板１００の切り欠き部１０１の周囲であって、切り欠き部１０１の左右両側に当接することで、回路基板１００上には、カバー部５１で覆われた第一ベース部２１ａ及び第一嵌合部５２ｂのみが配置され、第一ランド部１０２には、第一脚部３２が、第二ランド部１０３には、第二脚部４２ａ、４２ｂが、スルーホール１０４には、脚部５３が、第三ランド部１０５には、相手側嵌合部５２の肩部５２ｃの少なくとも第二嵌合部５２ｂの左右付け根端部が、それぞれ半田付けされた状態で、回路基板１００に実装される。また、レセプタクル１は、相手側嵌合部５２の前端側が回路基板１００の切り欠き部１０１より突出した状態で、回路基板１００に実装される。
【００６６】
実装されたレセプタクル１の基板実装面積は、（矢印Ｄの長さ）×（矢印Ｗの長さ）で表される。また、矢印Ｈ２の長さはレセプタクル１全体の基板実装高（寸法）を示し、レセプタクル１の取り付けスペースは、（矢印Ｄの長さ）×（矢印Ｗの長さ）×（矢印Ｈ２の長さ）で表される。
【００６７】
一方、マイクロＵＳＢ２．０プラグは、図示しないが、樹脂成形された絶縁体と、絶縁体に保持されたコンタクト及び２本のラッチと、絶縁体の外側を筒状に覆う金属シェルとを有し、レセプタクル１の第一嵌合部５２ａの開口１０ａ形状（横長な長方形）に対応して、マイクロＵＳＢ２．０プラグを嵌合相手のレセプタクル１側から見た前面視で横長な長方形とされる。
【００６８】
絶縁体には、レセプタクル１の第一凸部２２に対応して、これが挿入可能な単一の凹部が備えられる。コンタクトは、レセプタクル１の第一コンタクト３に対応して、マイクロＵＳＢ２．０規格に向けた５ピン分５本で構成され、それぞれ前端側にバネ接片でなる相手側接触部を備え、この可動の相手側接触部が、レセプタクル１の固定の第一相手側接触部３１に対応して、単一の凹部内にマイクロＵＳＢ２．０プラグの横幅方向に沿って左右横一列に並べられて配置される。ラッチは、コンタクトの左右両側に片側１本ずつで絶縁体に保持され、それぞれの前端側に形成する図示しないバネ片の先端側に係合突起を備え、この２つの係合突起が、レセプタクル１の係合孔５２ｄに対応して、金属シェルの上側板の左右両端よりそこに形成された図示しない開口を通して上側へ突出される。
【００６９】
そして、レセプタクル１の第一嵌合部５２ａの開口１０ａにマイクロＵＳＢ２．０プラグを突き合わせた状態で、マイクロＵＳＢ２．０プラグをレセプタクル１の第一嵌合部５２ａの開口１０ａを通して第一嵌合部５２ａ内に挿入することで、レセプタクル１の第一凸部２２の第一相手側接触部３１を配置する下表面２２ａとは反対側の上表面２２ｂと第一嵌合部５２ａの上側板との間には、マイクロＵＳＢ２．０プラグの金属シェルのみが挿入され、マイクロＵＳＢ２．０プラグの相手側接触部が単一の凹部を介してレセプタクル１の第一凸部２２と第二凸部２３との間の空隙１１に挿入され、マイクロＵＳＢ２．０プラグの相手側接触部がレセプタクル１の第一相手側接触部３１に押し付いて接触し、レセプタクル１とマイクロＵＳＢ２．０プラグとが物理的及び電気的に接続され、ＵＳＢ２．０規格に沿った信号伝送や給電が可能となる。レセプタクル１では、相手側嵌合部５２の肩部５２ｃの横幅をできる限り長く確保することにより、マイクロＵＳＢ２．０プラグとの嵌合信頼性が高くなる。
【００７０】
図１０は、レセプタクル１の第二プラグ２０１との嵌合状態を示す側断面図である。
【００７１】
第二プラグ２０１は、樹脂成形された絶縁体２０２と、絶縁体２０２に保持されたコンタクト２０４及び図示しない２本のラッチと、絶縁体２０２の外側を筒状に覆う金属シェル２０５とを有し、レセプタクル１の開口１０形状に対応して、第二プラグ２０１を嵌合相手のレセプタクル１側から見た前面視で横長な長方形の中央が下側へ張り出した凸字形とされる。
【００７２】
絶縁体２０２には、レセプタクル１の第一凸部２２及び第二凸部２３に対応して、これらが挿入可能な第一凹部２２２及び第二凹部２２３が備えられる。コンタクト２０４は、レセプタクル１の第二コンタクト４Ａ、４Ｂに対応して、６ピン分６本で構成され、それぞれ前端側にバネ接片でなる相手側接触部２４１を備え、可動の相手側接触部２４１が、レセプタクル１の固定の第二相手側接触部４１ａ、４１ｂに対応して、第二凹部２２３内に第二プラグ２０１の横幅方向に沿って左右横一列に並べられて配置される。ラッチは、第一凹部２２３の左右両側に片側１本ずつで絶縁体２０２に保持され、それぞれの前端側に形成する図示しないバネ片の先端側に係合突起２６１を備え、この２つの係合突起２６１が、レセプタクル１の係合孔５２ｄに対応して、金属シェル２０５の上側板の左右両端よりそこに形成された図示しない開口を通して上側へ突出される。
【００７３】
そして、レセプタクル１の開口１０に第二プラグ２０１を突き合わせた状態で、第二プラグ２０１をレセプタクル１の開口１０を通して相手側嵌合部５２内に挿入することで、レセプタクル１の第一凸部２２の第一相手側接触部３１を配置する下表面２２ａとは反対側の上表面２２ｂと第一嵌合部５２ａの上側板との間、及び第二凸部２３の第二相手側接触部４１ａ、４１ｂを配置する上表面２３ａとは反対側の下表面２３ｂと第二嵌合部５２ａの上側板との間には、第二プラグ２０１の金属シェル２０５のみが挿入され、第二プラグ２０１の相手側接触部２４１が第一凹部２２２及び第二凹部２２３を介してレセプタクル１の第一凸部２２と第二凸部２３との間の空隙１１に挿入され、第二プラグ２０１の相手側接触部２４１がレセプタクル１の第二相手側接触部４１ａ、４１ｂに押し付いて接触し、レセプタクル１と第二プラグ２０１とが物理的及び電気的に接続され、ＵＳＢ２．０規格と比べて、高速な信号伝送や高電圧の給電が可能となる。
【００７４】
図１１は、レセプタクル１の第三プラグ３０１との嵌合状態を示す側断面図である。
【００７５】
第三プラグ３０１は、樹脂成形された絶縁体３０２と、絶縁体３０２に保持された第一コンタクト３０３及び第二コンタクト３０４及び図示しない２本のラッチと、絶縁体３０２の外側を筒状に覆う金属シェル３０５とを有し、レセプタクル１の開口１０形状に対応して、第三プラグ３０１を嵌合相手のレセプタクル１側から見た前面視で横長な長方形の中央が下側へ張り出した凸字形とされる。
【００７６】
絶縁体３０２には、レセプタクル１の第一凸部２２及び第二凸部２３に対応して、これらが挿入可能な第一凹部３２２及び第二凹部３２３が備えられる。第一コンタクト３０３は、レセプタクル１の第一コンタクト３に対応して、マイクロＵＳＢ２．０規格に向けた５ピン分５本で構成され、それぞれ前端側にバネ接片でなる第一相手側接触部３３１を備え、可動の第一相手側接触部３３１が、レセプタクル１の固定の第一相手側接触部３１に対応して、第一凹部３２２内に第三プラグ３０１の横幅方向に沿って左右横一列に並べられて配置される。第二コンタクト３０４は、レセプタクル１の第二コンタクト４Ａ、４Ｂに対応して、６ピン分６本で構成され、それぞれ前端側にバネ接片でなる第二相手側接触部３４１を備え、可動の第二相手側接触部３４１が、レセプタクル１の固定の第二相手側接触部４１ａ、４１ｂに対応して、第二凹部３２３内に第三プラグ３０１の横幅方向に沿って左右横一列に並べられて配置される。ラッチは、第一コンタクト３０３の左右両側に片側１本ずつで絶縁体３０２に保持され、それぞれの前端側に形成する図示しないバネ片の先端側に係合突起３６１を備え、この２つの係合突起３６１が、レセプタクル１の係合孔５２ｄに対応して、金属シェル３０５の上側板の左右両端よりそこに形成された図示しない開口を通して上側へ突出される。
【００７７】
そして、レセプタクル１の開口１０に第三プラグ３０１を突き合わせた状態で、第三プラグ３０１をレセプタクル１の開口１０を通して相手側嵌合部５２内に挿入することで、レセプタクル１の第一凸部２２の第一相手側接触部３１を配置する下表面２２ａとは反対側の上表面２２ｂと第一嵌合部５２ａの上側板との間、及び第二凸部２３の第二相手側接触部４１ａ、４１ｂを配置する上表面２３ａとは反対側の下表面２３ｂと第二嵌合部５２ａの上側板との間には、第三プラグ３０１の金属シェル３０５のみが挿入され、第三プラグ３０１の第一相手側接触部３３１及び第二相手側接触部３４１が第一凹部３２２及び第二凹部３２３を介してレセプタクル１の第一凸部２２と第二凸部２３との間の空隙１１に挿入され、第三プラグ３０１の第一相手側接触部３３１がレセプタクル１の第一相手側接触部３１に押し付いて接触するとともに、第三プラグ３０１の第二相手側接触部３４１がレセプタクル１の第二相手側接触部４１ａ、４１ｂに押し付いて接触し、レセプタクル１と第三プラグ３０１とが物理的及び電気的に接続され、ＵＳＢ２．０規格に沿った信号伝送や給電に追加して、ＵＳＢ２．０規格と比べて、高速な信号伝送や高電圧の給電が可能となる。
【００７８】
以上、本実施形態のレセプタクル１は、ベース部２１より回路基板１００と平行して突出する第一凸部２２及び第二凸部２３を二段重ねで備える絶縁体２と、絶縁体２に保持され、第一凸部２２に配置する第一相手側接触部３１及びベース部２１より第一凸部２２及び第二凸部２３とは反対側へ突出して回路基板１００に半田付けする第一脚部３２を備える複数の第一コンタクト３と、第一コンタクト３とともに絶縁体２に保持され、第二凸部２３に配置する第二相手側接触部４１ａ、４１ｂ及びベース部２１より第一脚部３２と同じ側へ突出して回路基板１００に半田付けする第二脚部４２ａ、４２ｂを備える複数の第二コンタクト４Ａ、４Ｂと、第一凸部２２及び第二凸部２３を筒状に囲む相手側嵌合部５２を備える金属シェル５とを有し、相手側嵌合部５２はそれをプラグ嵌合方向から見ると中央が張り出した凸字形とし、第一凸部２２は相手側嵌合部５２の張り出し部以外の部位からなる第一嵌合部５２ａ内に配置し、第二凸部２３は相手側嵌合部５２の張り出し部からなる第二嵌合部５２ｂ内に配置して、第一相手側接触部３１と第二相手側接触部４１ａ、４１ｂとは第一凸部２２と第二凸部２３との互いに向かい合う表面２２ａ、２３ｂのみに配置する構成としてある。
【００７９】
レセプタクル１では、相手側嵌合部の一部の第一嵌合部５２ａによって、第一コンタクト３にのみ電気接続するマイクロＵＳＢ２．０プラグ（第一プラグ）と嵌合したり、相手側嵌合部５２全体（第一嵌合部５２ａ＋第二嵌合部５２ｂ）によって、第二コンタクト４Ａ、４Ｂにのみ接続する第二プラグ２０１や第一コンタクト３と第二コンタクト４の両方に電気接続する第三プラグ３０１と嵌合することができるが、第一相手側接触部３１を配置する第一凸部２２及び第二相手側接触部４１ａ、４１ｂを配置する第二凸部２３を二段重ねで備える絶縁体２を有し、第一相手側接触部３１と第二相手側接触部４１ａ、４１ｂとを二段重ねで配置することにより、マイクロＵＳＢ２．０レセプタクル側コネクタと比べて、レセプタクル１全体の奥行き（矢印Ｄの長さ）について、少なくとも大幅に長くならないようにし、レセプタクル１全体の横幅（矢印Ｗの長さ）について、殆ど長くならないようにし、レセプタクル１の基板専有面積（矢印Ｄの長さ×矢印Ｗの長さ）が少なくとも大幅に大きくならないようにする。その上で、第一相手側接触部３１と第二相手側接触部４１ａ、４１ｂとを第一凸部２２と第二凸部２３の互いに向かい合う表面２２ａ、２３ａのみに配置することにより、第一凸部２２と第二凸部２３との間の空隙（凹部）１１に、マイクロＵＳＢ２．０プラグ、第二プラグ２０１、第三プラグ３０１の全ての相手方接触部２４１、３３１、３４１を挿入させ、第一凸部２２と第二凸部２３それぞれのコンタクト配置表面２２ａ、２３ａとは反対側の表面２２ｂ、２３ｂと金属シェル５との間には、その相手側接触部２４１、３３１、３４１を挿入するための空隙高を確保しなくて済むようにし、マイクロＵＳＢ２．０レセプタクル側コネクタと比べて、レセプタクル１全体の高さ（矢印Ｈ１の長さ）についても、少なくとも大幅に高くならないようにし、レセプタクル１の基板実装高（矢印Ｈ２の長さ）も少なくとも大幅に大きくならないようにすることで、マイクロＵＳＢ２．０プラグ、第二プラグ２０１、第三プラグ３０１と嵌合することができるレセプタクル１の小型・低背化を図る。
【００８０】
レセプタクル１では、第一脚部３２と横一列で第二脚部４２ａ、４２ｂを配置することにより、レセプタクル１全体の奥行き（矢印Ｄの長さ）について、マイクロＵＳＢ２．０レセプタクル側コネクタのものと同等にまで短く抑え、レセプタクル１の基板専有面積（矢印Ｄの長さ×矢印Ｗの長さ）を、マイクロＵＳＢ２．０レセプタクル側コネクタのものと同等にまで小さくすることができ、マイクロＵＳＢ２．０、第二プラグ２０１、第三プラグ３０１と嵌合することができるレセプタクル１のさらなる小型化が可能となる。
【００８１】
レセプタクル１では、相手側嵌合部５２は中央が回路基板１００側へ張り出しており、第二嵌合部５２ｂを回路基板１００に設けた切り欠き部１０１の内に入れ、回路基板１００上には第一嵌合部５２ａのみを配置した状態で、回路基板１００に実装することにより、レセプタクル１の基板実装高（矢印Ｈ２の長さ）を、マイクロＵＳＢ２．０レセプタクル側コネクタのものと同等にまで低くすることができ、マイクロＵＳＢ２．０プラグ、第二プラグ２０１、第三プラグ３０１と嵌合することができるレセプタクル１のさらなる低背化（基板実装高）が可能となる。
【００８２】
レセプタクル１では、第一脚部３２と横一列で第二脚部４２ａ、４２ｂを配置するとともに、相手側嵌合部５２は中央が回路基板１００側へ張り出しており、第二嵌合部５２ｂを回路基板１００に設けた切り欠き部１０１の内に入れ、回路基板１００上には第一嵌合部５２ａのみを配置した状態で、回路基板１００に実装することにより、レセプタクル１の基板専有面積（矢印Ｄの長さ×矢印Ｗの長さ）と基板実装高（矢印Ｈ２の長さ）の両方を、マイクロＵＳＢ２．０レセプタクル側コネクタのものと同等にまで抑えることができ、マイクロＵＳＢ２．０プラグ、第二プラグ２０１、第三プラグ３０１と嵌合することができるレセプタクル１が、マイクロＵＳＢ２．０レセプタクル側コネクタと同等のスペース（矢印Ｄの長さ×矢印Ｗの長さ×矢印Ｈ２の長さ）で取り付け可能となる。
【００８３】
レセプタクル１では、金属シェル５は回路基板１００に半田付けする複数の脚部５３を備える一方、相手側嵌合部５２の第一嵌合部５２ａの両端から第二嵌合部５２ｂの付け根にかけての肩部５２ｃの少なくとも一部を回路基板１００に当接させ、その当接部で相手側嵌合部５２を回路基板１００に半田付けで直付けすることにより、マイクロＵＳＢ２．０プラグ、第二プラグ２０１、第三プラグ３０１と嵌合することができるレセプタクル１の許容こじり荷重を向上しながら、そのレセプタクル１のさらなる小型・低背化が可能となる。
【００８４】
レセプタクル１では、第一嵌合部５２ａがマイクロＵＳＢ２．０レセプタクル側コネクタの規格形状を満たし、第一嵌合部５２ａでマイクロＵＳＢ２．０プラグと嵌合することにより、マイクロＵＳＢ２．０プラグを使用して、ＵＳＢ規格に沿った信号伝送や給電が可能になると同時に、第二プラグ２０１や第三プラグ３０１を使用することで、他の信号伝送等が可能となる。そして、このようなマイクロＵＳＢ２．０プラグ、第二プラグ２０１、第三プラグ３０１と嵌合することができるレセプタクル１の小型・低背化が可能となる。
【符号の説明】
【００８５】
１    レセプタクル（レセプタクル側コネクタ）
２    絶縁体
２１  ベース部
２２  第一凸部
２２ａ  表面
２３  第二凸部
２３ａ  表面
３    第一コンタクト
３１  第一相手側接触部
３２  第一脚部
４Ａ、４Ｂ  第二コンタクト
４１ａ、４１ｂ  第二相手側接触部
４２ａ、４２ｂ  第二脚部
５    金属シェル
５２  相手側嵌合部
５２ａ  第一嵌合部
５２ｂ  第二嵌合部
５２ｃ  肩部
５３    脚部
１００  回路基板
１０１  切り欠き部
【図１】
2014154342.tif 000003
【図２】
2014154342.tif 000004
【図３】
2014154342.tif 000005
【図４】
2014154342.tif 000006
【図５】
2014154342.tif 000007
【図６】
2014154342.tif 000008
【図７】
2014154342.tif 000009
【図８】
2014154342.tif 000010
【図９】
2014154342.tif 000011
【図１０】
2014154342.tif 000012
【図１１】
2014154342.tif 000013